(57)【要約】【課題】容易にかつ安全に床板から電気融雪器を取り外すことができる電気融雪器取り外し工具を提供する。【解決手段】床板１３の孔部１３ａに略水平方向に挿入される発熱部２１と、発熱部２１と電源ケーブル２２とを接合する接合部２３と、を有する電気融雪器２を、床板１３から取り外すための電気融雪器取り外し工具１において、接合部２３に装着されるアタッチメント（装着部）３と、アタッチメント３に鉛直面内において回動可能に連結されたスライドハンマー４と、を備え、アタッチメント３は、接合部２３と発熱部２１側から当接可能な第１側板（当接部）３３Ａと、第１側板３３Ａと連結し作業者１４が上側から押さえることが可能な押さえ部３２と、を有する。【選択図】図１
0003192328.tif 000002
【実用新案登録請求の範囲】
【請求項１】
床板の孔部に略水平方向に挿入される発熱部と、該発熱部と電源ケーブルとを接合する接合部と、を有する電気融雪器を、前記床板から取り外すための電気融雪器取り外し工具において、
前記接合部に装着される装着部と、
該装着部に鉛直面内において回動可能に連結されたスライドハンマーと、を備え、
前記装着部は、前記接合部と前記発熱部側から当接可能な当接部と、該当接部と連結し作業者が上側から押さえることが可能な押さえ部と、を有することを特徴とする電気融雪器取り外し工具。
【請求項２】
前記装着部は、鋼鉄の削り出しによって下方に開放する箱状に一体成形され、前記接合部に上側から装着可能に構成されていることを特徴とする請求項１に記載の電気融雪器取り外し工具。
【考案の詳細な説明】
【技術分野】
【０００１】
本考案は、床板から電気融雪器を取り外す際に用いる電気融雪器取り外し工具に関する。
【背景技術】
【０００２】
従来、積雪のある地域では、列車のレールに電気融雪器が設置されている（例えば、特許文献１乃至３参照）。
電気融雪器としては、棒状の発熱部が床板に形成された孔部や床板に沿って設置された金具に形成された孔部に挿入されて、床板に熱を伝導可能に構成されているものが知られている。このような電気融雪器の発熱部は、床板へ効率よく熱を伝導できるように、その径が孔部の径と略同じ大きさとなるように形成されているとともに、列車の通過による振動などで孔部から外れないように、孔部へしっかりと挿入されている。
【先行技術文献】
【特許文献】
【０００３】
【特許文献１】特開２０１０−１９６３５４号公報
【特許文献２】特開２００１−１２３４０１号公報
【特許文献３】実開昭６０−０７６１０１号公報
【考案の概要】
【考案が解決しようとする課題】
【０００４】
ところで、保線作業の際には、床板から電気融雪器を取り外す必要があるが、発熱部が孔部へしっかりと挿入されているとともに、発熱部と孔部との間のグリスが固化したり、発熱部と孔部との間が錆びついたりしていることがあり、床板から電気融雪器を取り外すことが困難となっている。
また、床板から電気融雪器を取り外す際には、例えば、発熱部と電源ケーブルとを接合する接合部を直接ハンマーで叩いたり、接合部に工具を被せてこの工具をハンマーで叩いたりして、発熱部を孔部から引き出しているが、ハンマーが動くスペースが小さいため、接合部以外の他の設備や、作業者の手をハンマーで叩いてしまう虞がある。
【０００５】
そこで、本考案は、容易にかつ安全に床板から電気融雪器を取り外すことができる電気融雪器取り外し工具を提供することを目的とする。
【課題を解決するための手段】
【０００６】
上記目的を達成するため、本考案に係る電気融雪器取り外し工具は、床板の孔部に略水平方向に挿入される発熱部と、該発熱部と電源ケーブルとを接合する接合部と、を有する電気融雪器を、前記床板から取り外すための電気融雪器取り外し工具において、前記接合部に装着される装着部と、該装着部に鉛直面内において回動可能に連結されたスライドハンマーと、を備え、前記装着部は、前記接合部と前記発熱部側から当接可能な当接部と、該当接部と連結し作業者が上側から押さえることが可能な押さえ部と、を有することを特徴とする。
【０００７】
電気融雪器の接合部に装着された装着部は、押さえ部が作業者に上側から踏まれるなどして抑えられることにより、上下方向の移動が拘束され水平方向に移動可能な状態とすることができる。このため、この状態でスライドハンマーの打力が装着部へ水平方向および鉛直方向に対して斜めで上側に向かう斜め上方向に作用すると、装着部に作用するスライドハンマーの打力の上下方向の分力は、作業者が上から押さえ部を押さえる力に相殺され、装着部に作用するスライドハンマーの打力の水平方向の分力は、当接部を介して電気融雪器の接合部に作用することになる。
【０００８】
そして、電気融雪器の接合部に装着された装着部に、発熱部を床板の孔部から引き抜く方向と略同じ水平方向または、水平方向の分力がこの発熱部を床板の孔部から引き抜く方向と略同じ方向となる斜め上方向へスライドハンマーの打力が加えることにより、電気融雪器の接合部に装着部の当接部を介して発熱部を床板の孔部から引き抜く方向と略同じ水平方向の力が作用して、この方向に電気融雪器の接合部が移動するため、発熱部を床板の孔部から容易に引き抜くことができる。
また、作業者が装着部の押さえ部を足で踏むなどして押さえ、スライドハンマーを操作すればよいため、電気融雪器の接合部を直接または接合部に被せた工具をハンマーで叩く場合と比べて、発熱部を床板の孔部から安全に引き抜くことができる。
【０００９】
また、本考案に係る電気融雪器取り外し工具では、前記装着部は、鋼鉄の削り出しによって下方に開放する箱状に一体成形され、前記接合部に上側から装着可能に構成されていることが好ましい。
このような構成とすることにより、装着部をスライドハンマーの打力に耐えられる強度に成形することができるとともに、装着部が複数の部材を連結具などで連結した形態の場合と比べて、装着部の軽量化を図ることができ、容易に持ち運びすることができる。
【考案の効果】
【００１０】
本考案によれば、発熱部を床板の孔部から容易にかつ安全に引き抜くことができるため、床板から容易にかつ安全に電気融雪器を取り外すことができる。
【図面の簡単な説明】
【００１１】
【図１】本考案の実施形態による電気融雪器の一例を示す図である。
【考案を実施するための形態】
【００１２】
以下、本考案の実施形態による電気融雪器取り外し工具について、図１に基づいて説明する。
図１に示すように、本実施形態による電気融雪器取り外し工具１は、列車が走行する線路のレール１１と枕木１２との間の床板１３に設置される電気融雪器２を床板１３から取り外す際に用いられている。
【００１３】
電気融雪器２は、床板１３に形成された孔部１３ａに挿入される発熱部２１と、発熱部２１に電源を供給する電源ケーブル２２と、発熱部２１と電源ケーブル２２とを接合する接合部２３と、を有している。
発熱部２１は、丸棒状の部材で形成されていて、その延在方向がレール１１と略直交する水平方向となるように、床板１３の孔部１３ａに挿入可能に構成されている。なお、床板１３の孔部１３ａは、その軸方向がレール１１と略直交する水平方向に延在するように形成されている。
接合部２３は、発熱部２１および電源ケーブル２２よりも径の大きい円柱状に形成され、軸方向の一方の端面（以下第１端面２３ａとする）から発熱部２１が突出し、他方の端面（以下第２端面２３ｂとする）から電源ケーブル２２が突出するように、発熱部２１と電源ケーブル２２とを接合している。
【００１４】
電気融雪器取り外し工具１は、接合部２３に装着可能なアタッチメント（装着部）３と、アタッチメント３に連結されたスライドハンマー４と、を備えている。
アタッチメント３は、鋼鉄の削り出しによって一体成形された一面が開口する略直方体の箱状の部材で、箱の底部を構成する底板３１が上側となり下方が開口する向きで接合部２３を上側から覆うようにして接合部２３に装着可能に構成されている。
アタッチメント３が接合部２３に装着された状態において、アタッチメント３の底板３１は、上側から作業者１４が足で踏むなどして押さえることが可能な押さえ部３２を構成している。なお、本実施形態では、作業者１４は、押さえ部３２を足で踏んで押さえるものとして以下説明する。
【００１５】
アタッチメント３の側面を構成する４つの側板３３Ａ〜３３Ｄのうちの１つの側板となる第１側板（当接部）３３Ａは、接合部２３の第１端面２３ａと対向し、第１側板３３Ａと対向する第２側板３３Ｂは、接合部２３の第２端面２３ｂと対向するように配置されている。
この第１側板３３Ａには、発熱部２１と干渉しないように下部側に下方に開口し下方から発熱部２１が挿入可能な第１切欠き部３４Ａが形成されている。また、第１側板３３Ａは、内側の面が接合部２３の第１端面２３ａと当接可能に構成されている。
第２側板３３Ｂには、電源ケーブル２２と干渉しないように下部側に下方に開口し下方から電源ケーブル２２が挿入可能な第２切欠き部３４Ｂが形成されている。また、第２側板３３Ｂには、外面にスライドハンマー４が連結されている。
【００１６】
スライドハンマー４は、打力を与える対象物に連結される軸部４１と、軸部４１に沿って軸部４１の軸方向に移動可能に構成され対象物を引っ張る方向に対象物へ打力を与えることが可能なハンマー４２と、を有する公知のもので構成されている。
本実施形態では、スライドハンマー４は、軸部４１の一方の端部４１ａがアタッチメント３の第２側板３３Ｂの外面に連結され、この連結部４３を中心に第２側板３３Ｂの外面に直交する鉛直面内において回動可能に構成されている。このため、軸部４１の他方の端部４１ｂの位置を調整してアタッチメント３に対して打力を与えたい方向に軸部４１の軸方向を一致させ、ハンマー４２を操作することによって、アタッチメント３に対して任意の方向に打力を与えることができる。
【００１７】
次に、上述した電気融雪器取り外し工具１を用いた電気融雪器２の取り外し方法について説明する。
まず、発熱部２１が床板１３に挿入された電気融雪器２の接合部２３にアタッチメント３を被せるようにして装着し、アタッチメント３の第１側板３３Ａの切欠き部３４Ａに発熱部２１を挿入させ、第２側板３３Ｂの切欠き部３４Ｂに電源ケーブル２２を挿入させる。そして、第１側板３３Ａと接合部２３の第１端面２３ａとを当接させる。
続いて、アタッチメント３が上下方向には移動せず、水平方向には移動できる踏力で作業者１４がアタッチメント３の押さえ部３２を上から踏む。これにより、アタッチメント３は、上下方向の移動が拘束され、水平方向には移動可能な状態となる。
【００１８】
そして、この状態でスライドハンマー４の軸部４１の他方の端部４１ｂの位置を調整してアタッチメント３に対して打力を与えたい方向に軸部４１の軸方向を一致させる。
このとき、軸部４１の他方の端部４１ｂが一方の端部４１ａに対して斜め上側に位置するように調整し、軸部４１の一方の端部４１ａから他方の端部４１ｂへ向かう斜め上方向を鉛直方向と水平方向に分解した場合に、この水平方向が床板１３の孔部１３ａから電気融雪器２の発熱部２１を引き抜くことができる水平方向と略同じ水平方向となるようにする。なお、必要に応じて、アタッチメント３の向きを調整する。
【００１９】
そして、スライドハンマー４のハンマー４２を操作してアタッチメント３に斜め上方向の打力（図中の矢印５２の方向の力）を与える。
このとき、アタッチメント３に作用する斜め上方向の打力の鉛直方向（上方向）の分力（図中の矢印５３の方向の力）は、踏力（図中の矢印５１の方向の力）と相殺され、水平方向の分力（図中の矢印５４の方向の力）は、アタッチメント３の第１側板３３Ａを介して電気融雪器２の接合部２３に作用する。
これにより、電気融雪器２の接合部２３が、床板１３の孔部１３ａから発熱部２１を引き抜くことができる水平方向と略同じ水平方向に移動し、発熱部２１が床板１３の孔部１３ａから引き抜かれる。そして、発熱部２１が床板１３の孔部１３ａから引き抜かれたら、アタッチメント３を接合部２３から外す。
このようにして、電気融雪器２が床板１３から取り外される。
【００２０】
次に、上述した電気融雪器取り外し工具１の作用・効果について図面を用いて説明する。
上述した本実施形態による電気融雪器取り外し工具１では、電気融雪器２の接合部２３にアタッチメント３を装着し、作業者１４がアタッチメント３の押さえ部３２を足で踏んで、スライドハンマー４の軸部４１の向きを調整し、ハンマー４２を操作すれば、床板１３の孔部１３ａから発熱部２１を引き抜くことができる。
このため、従来の電気融雪器２の接合部２３を直接または接合部２３に被せた工具をハンマーで叩く場合などと比べて、接合部２３や接合部２３に被せた工具以外の他の設備や、作業者１４の手をハンマーで叩いてしまう虞がなく、電気融雪器２を床板１３から容易にかつ安全に取り外すことができる。
【００２１】
また、スライドハンマー４のハンマー４２を斜め上方向に操作させても、発熱部２１を床板１３の孔部１３ａから水平方向へ引き抜くことができるため、作業者１４が無理な体勢をせずに１人で作業を行うことも可能となる。
また、アタッチメント３の第１側板３３Ａが接合部２３の第１端面２３ａと当接して、第１側板３３Ａを介して接合部２３へ伝達するため、スライドハンマー４の打力が接合部２３へ均一に伝達し、接合部２３に局部的に打力が作用することを防止できて、安定した状態で発熱部２１を床板１３の孔部１３ａから引き抜くことができる。
【００２２】
また、アタッチメント３は、下方に開放する箱状に鋼鉄の削り出しによって一体成形されていることにより、アタッチメント３をスライドハンマー４の打力に耐えられる強度に成形することができるとともに、複数の部材を連結具などで連結した形態のアタッチメントと比べて、アタッチメント３の軽量化を図ることができ、容易に持ち運びすることができる。
【００２３】
以上、本考案による電気融雪器取り外し工具の実施形態について説明したが、本考案は上記の実施形態に限定されるものではなく、その趣旨を逸脱しない範囲で適宜変更可能である。
例えば、上記の実施形態では、電気融雪器取り外し工具１のアタッチメント３は、鋼鉄の削り出しによって一体成形された箱状の部材であるが、削り出し以外の方法で形成されていてもよい。
また、上記の実施形態では、アタッチメント３は、略直方体状の箱型に形成されているが、略直方体状以外の形状に形成されていてもよい。例えば、アタッチメント３の上側に配される押さえ部３２が円弧面状に形成されていてもよい。
【００２４】
また、上記の実施形態では、第１側板３３Ａが接合部２３の第１端面２３ａと対向し、第２側板３３Ｂが接合部２３の第２端面２３ｂと対向し、第１側板３３Ａが接合部２３の第１端面２３ａと当接可能に構成されているが、アタッチメント３が接合部２３に当接し、接合部２３にスライドハンマー４の打力を伝達可能に構成されていれば、これ以外の構成であってもよい。
また、上記の実施形態では、スライドハンマー４でアタッチメント３に斜め上向きの打力を与えているが、水平方向の打力を与えてもよい。
また、上記の実施形態では、電気融雪器２の発熱部２１は、床板１３の孔部１３ａに挿入されているが、例えば、床板１３に、孔部が形成されて発熱部２１から床板１３へ伝熱可能な金具などが取り付けられていてこの金具の孔部に挿入されるように構成されていてもよい。
【符号の説明】
【００２５】
１  電気融雪器取り外し工具
２  電気融雪器
３  アタッチメント（装着部）
４  スライドハンマー
１１  レール
１２  枕木
１３  床板
１４  作業者
２１  発熱部
２２  電源ケーブル
２３  接合部
３２  押さえ部
３３Ａ  第１側板（当接部）
【図１】
0003192328.tif 000003